(57)【要約】【課題】携帯型通信端末の充電表示機能等を流用することにより、装着された通信モジュールに関する情報を表示させることが可能な携帯型通信装置を提供すること。【解決手段】通信機能を有する通信モジュールが装着可能であり、充電式バッテリーを内蔵する携帯型通信装置において、通信モジュールの装着の有無を検出する通信モジュール検出手段と、前記充電式バッテリーを充電する充電手段と、前記充電手段による充電状況を表示する充電状況表示手段と、を備え、前記充電状況表示手段は、前記検出手段により検出された検出結果を併せて表示する手段であることを特徴とする。【選択図】図１
2010183133.tif 000002
【特許請求の範囲】
【請求項１】
通信機能を有する通信モジュールが装着可能であり、充電式バッテリーを内蔵する携帯型通信装置において、
通信モジュールの装着の有無を検出する通信モジュール検出手段と、
前記充電式バッテリーを充電する充電手段と、
前記充電手段による充電状況を表示する充電状況表示手段と、
を備え、
前記充電状況表示手段は、前記検出手段により検出された検出結果を併せて表示する手段であることを特徴とする携帯型通信装置。
【請求項２】
前記通信モジュール検出手段により装着が検出された通信モジュールの種別を判別する通信モジュール種別判別手段を更に有しており、
前記充電状況表示手段は、前記通信モジュール種別判別手段により判別された通信モジュールの種別に応じて表示を行う手段であることを特徴とする請求項１に記載の携帯型通信装置。
【請求項３】
前記通信モジュール検出手段は、前記充電手段が前記充電式バッテリーの充電を開始したときに、通信モジュールの装着の有無を検出することを特徴とする請求項１又は２に記載の携帯型通信装置。
【請求項４】
前記通信モジュール検出手段は、前記充電手段が前記充電式バッテリーの充電動作を終了したときに、通信モジュールの装着の有無を検出することを特徴とする請求項１又は２に記載の携帯型通信装置。
【発明の詳細な説明】
【技術分野】
【０００１】
本発明は、通信機能を有する通信モジュールが装着可能であり、充電式バッテリーを内蔵する携帯型通信装置に関する。
【背景技術】
【０００２】
近年、携帯型通信装置の一種である携帯電話は、複数の通信機能を有するものが開発、商品化されている。更に、半導体技術の進歩により、通信回路の小型化が進み、小型カード形状にてモジュール化が可能になってきている。
【０００３】
当初搭載される通信機能に加えて、そのような通信機能をモジュール化したカードを追加する事で、携帯端末装置の通信機能を追加拡張する事が可能である。すなわち、ＷＬＡＮや、Ｂｌｕｅｔｏｏｔｈ（登録商標）などの通信モジュールの小型が進み、ＳＤカードやＭｉｎｉ  ＳＤカードへ内蔵が可能になってきている。
【０００４】
例えば、スマートフォンをはじめとする携帯端末へ上記カードを装着して、本来の通信機能にＷＬＡＮやＢｌｕｅｔｏｏｔｈなどの通信機能を追加可能になってきている。
【０００５】
また、携帯電話はバッテリーから供給される電源により動作している。バッテリーは充電されて使用されるが、このバッテリーの充電状態を表示する機能が携帯電話には備えられている。例えば、携帯電話の外側に配設されたＬＥＤ等の発光素子により、バッテリーが充電中であるか、充電が完了したか等が利用者は把握することが可能である。また、この充電表示機能を流用することにより、電話やメール等の着信状態を表示させる技術が知られている（例えば、特許文献１、特許文献２参照）。
【先行技術文献】
【特許文献】
【０００６】
【特許文献１】特開２００３−８６９０号公報
【特許文献２】特開２００１−１７５２２９号公報
【発明の概要】
【発明が解決しようとする課題】
【０００７】
ここで、通信機能を追加する通信モジュールを、携帯型通信端末（携帯電話）に装着する場合、通信モジュールが携帯型通信端末から突出しているなら、どのようなモジュールが装着されているのか、利用者は簡単に判別可能である。しかし、近年通信モジュールの小型化が進み、可搬性を考慮して携帯型通信端末内に通信モジュールを内蔵させることが可能となってきた。
【０００８】
この場合、利用者はどのような通信カードが内蔵されているのか、携帯型通信端末の外見からは判別できない。そのため、内蔵される通信カードの情報を確認するためには、わざわざ待ちうけ画面やメニュー等を表示する為の操作を行わなければならなかった。
【０００９】
さらに、利用者が確認する都度操作を行う必要があるため、不必要にバッテリーを消耗してしまうといった問題点も生じていた。
【００１０】
また、携帯型通信端末に通信モジュールを装着したままの場合、利用者が通信モジュールの装着自体を忘れてしまう恐れがあるといった問題点も生じていた。
【００１１】
そこで、上述した課題に鑑み、本発明が目的とするところは、携帯型通信端末の充電表示機能等を流用することにより、装着された通信モジュールに関する情報を表示させることが可能な携帯型通信装置を提供することを目的とする。
【課題を解決するための手段】
【００１２】
上述した課題に鑑み、本発明の携帯型通信装置は、通信機能を有する通信モジュールが装着可能であり、充電式バッテリーを内蔵する携帯型通信装置であって、通信モジュールの装着の有無を検出する通信モジュール検出手段と、前記充電式バッテリーを充電する充電手段と、前記充電手段による充電状況を表示する充電状況表示手段と、を備え、前記充電状況表示手段は、前記検出手段により検出された検出結果を併せて表示する手段であることを特徴とする。
【００１３】
また、本発明の携帯型通信装置は、前記通信モジュール検出手段により装着が検出された通信モジュールの種別を判別する通信モジュール種別判別手段を更に有しており、前記充電状況表示手段は、前記通信モジュール種別判別手段により判別された通信モジュールの種別に応じて表示を行う手段であることを特徴とする。
【００１４】
また、本発明の携帯型通信装置において、前記通信モジュール検出手段は、前記充電手段が前記充電式バッテリーの充電を開始したときに、通信モジュールの装着の有無を検出することを特徴とする。
【００１５】
また、本発明の携帯型通信装置において、前記通信モジュール検出手段は、前記充電手段が前記充電式バッテリーの充電動作を終了したときに、通信モジュールの装着の有無を検出することを特徴とする。
【発明の効果】
【００１６】
本発明の携帯端末装置によれば、ユーザーは、なんら特別な部品を追加する事なく、充電表示機能を流用することにより装着された通信カードの情報を確認する事が可能である。
【００１７】
また、必要に応じて通信モジュールを入れ替えて使用する場合には、携帯型通信端末を持ち出すまえに確認が可能になる。さらに内蔵可能な通信カードは、構造的な問題が解決可能であれば、複数の通信カードの内蔵が可能であるが、通信可能なカードのみを選択表示する事で、通信可能な通信手段が確認可能である。
【図面の簡単な説明】
【００１８】
【図１】本実施形態における携帯型通信装置の構成を示す図である。
【図２】本実施形態における中央制御部の構成を示す図である。
【図３】本実施形態における通信モジュールの構成を示す図である。
【図４】本実施形態における充電表示部の表示形態について説明するための図である。
【図５】本実施形態における充電表示部の表示形態について説明するための図である。
【図６】本実施形態における通信モジュール表示処理について説明するための図である。
【図７】本実施形態における通信モジュール表示処理について説明するための図である。
【図８】本実施形態における携帯型通信装置の処理について説明するための図である。
【発明を実施するための形態】
【００１９】
本発明を実施するための最良の形態について図面を用いて詳細に説明する。なお、本発明はこれら実施の形態に何ら限定されるものではなく、その要旨を逸脱しない範囲において、種々なる態様で実施しうる。
【００２０】
［構成］
次に携帯型通信装置１の構成について図１を用いて説明する。携帯型通信装置１は、通信モジュール１５が着脱可能に構成されている。ここで、携帯型通信装置１は、アンテナ２と、送受信切替器３、ＰＡ４（Ｐｏｗｅｒ  ＡＭＰ）、送信部５、ＬＮＡ６（Ｌｏｗ  Ｎｏｉｓｅ  ＡＭＰ）、受信部７、通信制御部８、中央制御部９、拡張Ｉ／Ｆ１０、充電部１１、バッテリー１２、表示部１３、センサー部１４、開閉検出部１６、モジュール挿抜検出部１７、音声処理部１８、充電表示部１９、充電端子２０、通信モジュール収納部２１、電源ＳＷ２２、スピーカ２３を備えて構成されており、通信モジュール収納部２１へは通信モジュール１５が内蔵可能である。
【００２１】
中央制御部９は、携帯型通信装置１が元々有する通信機能に加えて、通信モジュール１５の通信機能の制御を拡張Ｉ／Ｆ１０を介して行う。ここで、拡張Ｉ／Ｆ１０は、ＣＦやＳＤＩＯなどの標準Ｉ／Ｆに準拠していてもよい。
【００２２】
また、通信モジュール１５が実現する通信機能の一例として８０２．１１／ａ／ｂ／ｇ／ｎなどの無線ＬＡＮ、ＰＨＳ、ｗｉｍａｘ、ＳＰＣ、ＮＦＣなどがあるが、これに限ったことではない。
【００２３】
図１において、携帯型通信装置１が本来持つ無線通信機能から説明すると、中央制御部９から送出された通信制御に従ったデータは、通信制御部８にてベースバンド信号に変調される。
【００２４】
変調されたベースバンド信号は送信部５にて帯域制限と無線周波数信号に変換され、ＰＡ４にて増幅され、送受切替器３の端子ｂから端子ａを介して、アンテナ２から電波として放射される。なお、ＰＡ４の増幅度は可変可能である。
【００２５】
一方、アンテナ２で受信された電波は、送受切替器３の端子ａから端子ｃを介してＬＮＡ６（Ｌｏｗ  Ｎｏｉｓｅ  ＡＭＰ）に入力され、低雑音増幅される。増幅された受信信号は、受信部７にて帯域制限と復調、周波数変換され、ベースバンド信号として通信制御部８へ入力される。ＬＮＡ６による低雑音増幅の増幅度は可変可能である。通信制御部８では、通信プロトコルに従った受信データを中央制御部９へ送る。
【００２６】
さらに、ベースバンド信号は音声を例に取ると、送信データであれば、図示しないマイクからの音声信号が音声処理部１８へ入力処理され、受信データであれば、音声処理部１８で処理された音声信号を、スピーカ２３へ出力する。音声信号は、音声通信に係る音声信号のみではなく、ビープ音やメロディ音などのオーディオ出力も可能である。
【００２７】
バッテリー１２は、充電部１１による充電制御と、出力電圧の監視がされ、各ブロックに必要な電源を生成、供給を行う。充電部１１は、充電を行う時に、充電端子２０を介して外部の商用電源へ接続される。充電表示部１９は、例えばＬＥＤなどで構成され、バッテリー１２に対する充電状況を表示する。
【００２８】
センサー部１４は、充電端子２０が外部電源に接続された検出、開閉検出部１６による筐体の形状変化を検出、モジュール挿抜検出部１７による通信モジュール１５の装着の検出を行い、その検出内容を中央制御部９へ通知する。
【００２９】
表示部１３は、ＬＣＤなどで構成された表示装置であり、携帯型通信装置１の操作の為に必要なメニューや情報を表示する。
【００３０】
［中央制御部の構成例］
ここで、図２に中央制御部９の構成例を示す。中央制御部９はＣＰＵ１０１、ＲＯＭ１０２、ＲＡＭ１０３、ＣＬＯＣＫ１０４、不揮発性メモリ１０５、表示制御部１０６、センサーＩ／Ｆ１０７を備えて構成される。
【００３１】
ＲＯＭ１０２の内部には、システム制御、無線制御、有線制御のプログラムが記憶されている。ＣＰＵ１０１は、Ｃｌｏｃｋ１０４を基に、該プログラムを実行する。ＲＡＭ１０３は、プログラム実行のワークメモリとして使用される。不揮発性メモリ１０５は、通信機能に関する条件設定値を記憶する。表示制御部１０６は、表示部１３へ表示する情報の処理や制御を行う。
【００３２】
センサーＩ／Ｆ１０７はセンサー部１４からの情報を収集するインタフェースである。センサー部１４は開閉検出部１６、モジュール挿抜検出部１７及び充電部１１からの情報を検出し、中央制御部９へ検出情報として伝える。
【００３３】
開閉検出部１６は、図１の端子ｆ−ｇからなるスイッチで構成されており、Ｒ１によりプルアップされている。携帯型通信装置１の筐体の開閉に応じて端子ｆ−ｇ間が閉じられる。
【００３４】
例えば筐体が開放している時は端子ｆ−ｇ間はＯｆｆなので、センサー部１４へはＨｉｇｈレベルの信号が、筐体が閉じている時は端子ｆ−ｇ間はＯＮとなり、センサー部１４へはＬｏｗレベルの信号が加えられる。
【００３５】
モジュール挿抜検出部１７は、図１の端子ｈ−ｉ、端子ｊ−ｋからなるスイッチで構成されており、端子ｈはＲ２によりプルアップされており、端子ｊはＧＮＤへ接続されている。
【００３６】
通信モジュール収納部２１に、通信モジュール１５を収納すると、通信モジュール収納部２１の端子ｉ、端子ｋに対して、通信モジュール１５の端子ｈが、端子ｋがそれぞれ接触する。通信モジュール１５の端子ｈ−端子ｋ間が接続されている為、端子ｈ−ｉ−ｋ−ｊが接続される事になり、センサー部１４へＬｏｗレベルの信号が伝えられる事になり、通信モジュール１５が装着された事をセンサー部１４は中央制御部９へ伝える事が可能である。同時に通信モジュール１５は、拡張Ｉ／Ｆ１０間とデータバスが接続され、データのやり取りが可能になる。
【００３７】
充電部１１は、充電端子ｄ及びｅを介して外部電源と接続され、バッテリー１２の充電を行う。１１充電部は、端子ｄ、端子ｅへ電圧が印加されることで外部電源が接続された事を検出できる。
【００３８】
電源ＳＷ２２は、プルアップ抵抗Ｒ３、端子ｌ、ｍと共に構成され、携帯型通信装置１の電源のＯＮ／ＯＦＦを行うものである。通常端子ｍはＲ３にてプルアップされているため、中央制御部９へＨｉｇｈレベルを出力している。電源ＳＷ２２は閉じられて、端子ｌ−ｍ間が接続されると、端子ｌがＧｎｄに接続されているため、端子ｍがＧｎｄに接続され、センサー部１４へＬｏｗレベルを出力する。センサー部１４は、このＬｏｗレベルになった事を検出して、９中央制御部へ伝える。
【００３９】
中央制御部９は、図示しないが、バッテリー１２を含む電源の制御を行い、携帯型通信装置１の電源ＯＮ／ＯＦＦを行う。これも図示しないが、通常この電源ＯＮ／ＯＦＦ検出する機能を動作させるために必要な最低限の部分は通電されている。
【００４０】
［通信モジュールの構成例］
次に、図３に通信モジュールの構成例を示す。通信モジュールが実現する通信機能は、先に示した様に無線ＬＡＮ、ＰＨＳ、ＷｉＭＡＸ、ＳＰＣ、ＮＦＣなどがあるが、無線通信機能を実現する構成は、いずれも類似している。ここでは、無線ＬＡＮを例にして説明を行う。
【００４１】
通信モジュール１５は、１５０２アンテナと、送受信切替器１５０３、ＰＡ１５０４（Ｐｏｗｅｒ  ＡＭＰ）、送信部１５０５、ＬＮＡ１５０６（Ｌｏｗ  Ｎｏｉｓｅ  ＡＭＰ）、受信部１５０７、通信制御部１５０８、中央制御部１５０９、モジュールＩ／Ｆ１５１１、電源１５１２を備えて構成される。
【００４２】
通信モジュール１５は、携帯型通信装置１が備える拡張Ｉ／Ｆ１０と、通信モジュール１５が備えるモジュールＩ／Ｆ１５１１を介して接続される。ここで、モジュールＩ／Ｆ１５１１は、ＳＤＩＯなどの既存Ｉ／Ｆにて構成されてもよい。
【００４３】
中央制御部１５０９には、通信モジュール１５の無線通信機能がプログラムされており、モジュールＩ／Ｆ１５１１を介して外部から通信モジュール１５の種類(無線ＬＡＮ、ＰＨＳ、ＷｉＭＡＸ、ＳＰＣ、ＮＦＣ等)を判断可能な情報を読み出す事が可能である。
【００４４】
端子ｊ−ｋは通信モジュール１５の内部にて接続され、携帯型通信装置１が備える、通信モジュール収納部２１へ、通信モジュール１５が装着されたことを検出する為に使用される端子である。
【００４５】
中央制御部１５０９から送出された通信制御に従ったデータは、通信制御部１５０８にてベースバンド信号に変調される。変調されたベースバンド信号は送信部１５０５にて帯域制限と無線周波数信号に変換され、ＰＡ１５０４にて増幅され、送受切替器１５０３の端子ｂから端子ａを介して、アンテナ１５０２から電波として放射される。ここで、ＰＡ１５０４の増幅度は可変可能である。
【００４６】
一方、アンテナ１５０２で受信された電波は、送受切替器１５０３の端子ａから端子ｃを介してＬＮＡ（Ｌｏｗ  Ｎｏｉｓｅ  ＡＭＰ）１５０６に入力され、低雑音増幅される。増幅された受信信号は、受信部１５０７にて帯域制限と復調、周波数変換され、ベースバンド信号として通信制御部１５０８へ入力される。ここで、ＬＮＡ１５０６による低雑音増幅の増幅度は可変可能である。
【００４７】
通信制御部１５０８では、通信プロトコルに従った受信データを中央制御部１５０９へ送る。なお、無線ＬＡＮの場合、アンテナ１５０２はダイバシティ構造になっている場合もある。
【００４８】
［充電表示機能の例］
続いて、バッテリー１２が充電中の場合に、充電状態を表示させた場合（充電表示機能）の充電表示部１９の一例について説明する。図４（ａ）は、充電中の状態を表示する充電表示部１９であり、ＬＥＤ等の光源を点灯させたり、点滅させたりすることにより報知する。図４（ｂ）は、充電の終了時の状態であり、例えば、ＬＥＤ等の光源を消灯する。なお、これらの点滅パターンや、点灯あるいは点滅する色を変更しても良い。
【００４９】
また、図４（ｃ）及び（ｄ）の様に、充電中と充電完了時において装着されている通信モジュールにより表示する色を変えるといった方法でも良い。例えば、図４（ｃ）は青色にて点灯や点滅を行い、通信モジュールＡが装着されている事を、図４（ｄ）は緑色にて点灯や点滅を行う事で、通信モジュールＢが装着されている事を示す例である。これらは、点滅パターンを変更してもよい。
【００５０】
表示方法には、点滅パターンの変更や、色の変更、その組合せなどが可能であるが、説明の便宜上、色の変更を例に説明を行う。図５（ａ）は、充電中に通信モジュールＡが装着されていることを示す表示例である。赤点灯により充電中である事を示し、交互に表示される青点灯にて通信モジュールＡが装着されている事を示す。
【００５１】
図５（ｂ）は、充電終了状態で、通信モジュールＡが装着されている事を示す。外部電源に接続されて充電動作が可能である場合に、本表示状態になった場合、バッテリーは満充電になり、充電が完了している事を示す。外部電源から外れている場合、充電動作を中断している事を示す。
【００５２】
図５（ｃ）は、充電終了状態で、通信モジュールＡとＢが装着されている事を示す。本図においては、通信モジュールＡが装着されていることを示す青色の点灯（点滅）と、通信モジュールＢが装着されていることを示す緑色の点灯（点滅）とが交互に表示されている。さらに多くの通信モジュールが装着されている場合、通信モジュール装着パターンを追加すればよい。以上の様に、充電中や通信モジュールの有無、種別等に応じて充電表示部１９の表示形態を変更させることができる。
【００５３】
［処理の流れ］
続いて、本発明を適用した携帯型通信装置１の処理の流れについて説明する。まず、図６は、携帯型通信装置１に装着されている、通信モジュール１５の有無を表示する通信モジュール表示処理の流れについて説明した図である。この通信モジュール表示処理は、例えば電源ＳＷ２２による電源ＯＮ／ＯＦＦ操作時や、開閉検出部１６による開閉検出時等で実行されてもよいし、任意のタイミングで実行されてもよい。さらに、通信モジュール表示処理は、タイマーにより一定時間実行後、停止しても良い。
【００５４】
まず、通信モジュール１５を検出する（ステップＳ１０）。ここで検出手段としては、例えばモジュール挿抜検出部１７の検出結果を使用してもよい。ここで、通信モジュール１５が検出された場合には（ステップＳ１２；Ｙｅｓ）、通信モジュール１５がある表示を図４、５に示したように、充電表示機能を流用して行うこととする（ステップＳ１４）。他方、通信モジュール１５が検出されなかった場合（通信モジュール１５が無い場合）（ステップＳ１２；Ｎｏ）は、通信モジュール１５がない表示を充電表示機能を流用して行う（ステップＳ１６）。
【００５５】
ここで、図６は通信モジュール１５の有無について表示することとして説明したが、更に通信モジュールの種類を判別し、更に表示することとしても良い。この場合の通信モジュール表示処理の流れについて、図７を用いて説明する。
【００５６】
まず、通信モジュール１５を検出し（ステップＳ３０）、通信モジュール１５が検出されなかった場合（無かった場合）には、通信モジュール無しの表示を充電表示機能を流用して行う（ステップＳ３２；Ｎｏ→ステップＳ４２）。
【００５７】
他方、ステップＳ３２において、通信モジュール１５が検出された場合（ステップＳ３２；Ｙｅｓ）、通信モジュール１５の種類を判別する（ステップＳ３４）。ここで、通信モジュール１５の種類を判別するには、通信モジュール１５と、拡張Ｉ／Ｆ１０との間でデータのやり取りを行い、装着された通信モジュール１５の種類を示す情報を読み出すことで、通信モジュール１５の種類を判別するといった方法が考えられる。さらに通信モジュール１５の種類を判別する方法として、図１の通信モジュール１５へ端子ｋ、ｉの様な端子をさらに追加し、その端子のＨｉｇｈ／Ｌｏｗのロジック状態を固有ビット列として設定し、通信モジュール１５の種類を固有ビット列に対応させる事で、拡張Ｉ／Ｆ部１０を介して、中央制御部９へ読み込む事で、判断する方法もある。
【００５８】
ここで、判別された通信モジュール１５の種類が「通信モジュールＡ」の場合には通信モジュールＡである表示を充電表示機能を利用して行う（ステップＳ３６；Ｙｅｓ→ステップＳ３８）。他方、判別された通信モジュール１５の種類が「通信モジュールＡ」で無かった場合、本実施形態においては通信モジュールＢであると判別し、通信モジュールＢである表示を充電表示機能を利用して行う（ステップＳ３６；Ｎｏ→ステップＳ４０）。この場合、通信モジュールＡと通信モジュールＢとは異なった表示を行うこととする。
【００５９】
なお、図７においては、装着される通信モジュールの種類は２種類である例を示したが、装着される通信カード数が複数でも同様である。例えば、通信モジュールＡ、通信モジュールＢ、通信モジュールＣが装着され、通信モジュールＡのみ動作可能（動作イネーブル）であった場合、通信モジュールＡ、Ｂ、Ｃが装着され、モジュールＡが動作可能である表示を行う。この場合の表示も、図４に示したように充電表示機能を流用して行う。
【００６０】
続いて、携帯型通信装置１が充電状態のときに、充電表示機能を利用して通信モジュールの情報を表示する場合の処理について、図８を用いて説明する。まず、携帯型通信装置１は端子ｄ−ｅに外部電源が接続され、充電部１１が充電開始されると、充電表示部１９に充電開始表示を行う（ステップＳ５０）。続いて、通信モジュール表示処理を実行することにより、充電表示部１９に、通信モジュールの有無や種別を表示する（ステップＳ５２）。例えば、充電表示部１９の表示手段がＬＥＤであれば、充電表示、通信モジュール情報表示を交互に行ったり、合成した表示を行ったりする。このとき、通信モジュール表示処理としては、上述した図６や図７の処理が実行されることとなる。
【００６１】
続いて、充電状態を検出する（ステップＳ５４）。例えば、バッテリー１２への充電状態を充電部１１が検出する情報を取得したりすることにより検出する。ここで、充電が終了している場合は（ステップＳ５６；Ｙｅｓ）、充電終了の表示を充電表示部１９に行い（ステップＳ５８）、通信モジュール表示処理を実行する（ステップＳ６０）。
【００６２】
他方、充電が終了していない場合は（ステップＳ５６；Ｎｏ）、充電中である表示を継続して行い（ステップＳ６２）、通信モジュール表示処理を実行する（ステップＳ６４）。そして、ステップＳ５６から処理を繰り返し実行する。
【００６３】
このように、本実施形態によれば、充電表示機能を流用して通信モジュールの有無や、種別を表示することが可能となり、利用者は容易に通信モジュールの状態を確認することが出来ることとなる。
【００６４】
［変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００６５】
なお、上述した実施形態では、通信モジュール１５の情報を充電表示部１９を兼用して表示することとして説明を示したが、例えば音声処理部１８、スピーカ２３から発音される音声出力を用いて情報伝達を行ってもよい。
【００６６】
また、上述した通信モジュール表示処理については、通信モジュールの装着の有無を検出する場合や、通信モジュールの種別を判別する場合について説明したが、例えば、複数の通信モジュールが装着されている場合に、通信可能な通信モジュールを報知することとしても良い。
【００６７】
すなわち、通信モジュールＡ、通信モジュールＢと装着されており、通信モジュールＡは通信可能であるが、通信モジュールＢのサービスが圏外であり、通信できない場合、その旨を利用者に報知するといったことをしてもよい。これにより、利用者はどの通信モジュールが利用可能であるかが容易に識別可能となる。
【００６８】
また、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。また、そのようなソフトウェア（プログラム）をＳＤカードなどの媒体に記録することも可能である。
【符号の説明】
【００６９】
１  携帯型通信装置
２  アンテナ
３  送受信切替器
４  ＰＡ（Ｐｏｗｅｒ  ＡＭＰ）
５  送信部
６  ＬＮＡ（Ｌｏｗ  Ｎｏｉｓｅ  ＡＭＰ）
７  受信部
８  通信制御部
９  中央制御部
１０  拡張Ｉ／Ｆ
１１  充電部
１２  バッテリー
１３  表示部
１４  センサー部
１５  通信モジュール
１６  開閉検出部
１７  モジュール挿抜検出部
１８  音声処理部
１９  充電表示部
２０  充電端子
２１  通信モジュール収納部
２２  電源ＳＷ
２３  スピーカ
１０１  ＣＰＵ
１０２  ＲＯＭ
１０３  ＲＡＭ
１０４  ＣＬＯＣＫ
１０５  不揮発性メモリ
１０６  表示制御部
１０７  センサーＩ／Ｆ
【図１】
2010183133.tif 000003
【図２】
2010183133.tif 000004
【図３】
2010183133.tif 000005
【図４】
2010183133.tif 000006
【図５】
2010183133.tif 000007
【図６】
2010183133.tif 000008
【図７】
2010183133.tif 000009
【図８】
2010183133.tif 000010